(57)【要約】【課題】  建築物の玄関等の開口部にドア体とともに設けられるエントランスユニットを、インターホーンが取付けられるエントランスパネルを用いて構成するにあたり、該エントランスパネルにインターホーンの外部露出部品に対応した切欠き孔を形成し、該切欠き孔にエントランスパネル表面に付着しないように防錆塗装を施す。【解決手段】  インターホーンの外部露出部品に対応した切欠き孔をエントランスパネルの表板表面から型抜き加工して形成し、表板表面の切欠き孔形成部位にシール材が被覆している状態で表板裏面から切欠き孔に防錆塗装を施す。【選択図】図７
2011190573.tif 000002
【特許請求の範囲】
【請求項１】
屋外側の表板と屋内側の裏板とを一体化してエントランスパネルを構成し、前記裏板にインターホーンを装着してなるエントランスユニットにおいて、
表板には、インターホーンとして外部に露出させる必要がある露出部品にそれぞれ対応した切欠き孔が形成され、裏板には、前記切欠き孔よりも大きい開口が形成されたものとするにあたり、
表板は表面側から前記切欠き孔が打ち抜き加工されたものとし、さらに表板表面がシール材に被覆された状態で裏面側から少なくとも切断面に防錆塗装が施されたものであることを特徴とするエントランスユニット。
【請求項２】
表板の打ち抜き加工は表面がシール材で被覆された状態で施され、該シール材で表面が被覆されたままの状態で防錆塗装が施されることを特徴とする請求項１記載のエントランスユニット。
【請求項３】
表板と裏板とが一体化された状態で前記防錆塗装が施されたものであることを特徴とする請求項１または２記載のエントランスユニット。
【請求項４】
屋外側の表板と屋内側の裏板とを一体化してエントランスパネルを構成し、前記裏板にインターホーンを装着してなるエントランスユニットにおいて、
表板には、インターホーンとして外部に露出させる必要がある露出部品にそれぞれ対応した切欠き孔が形成され、裏板には、前記切欠き孔よりも大きい開口が形成されたものとするにあたり、
表板の表面側から前記切欠き孔が打ち抜き加工を施した後、さらに表板表面がシール材に被覆された状態で裏面側から少なくとも切断面に防錆塗装を施したものであることを特徴とするエントランスユニットの製造方法。
【発明の詳細な説明】
【技術分野】
【０００１】
本発明は、建築物の玄関等の開口部にドア体に隣接して設けられるエントランスユニットおよびエントランスユニットの製造方法の技術分野に関するものである。
【背景技術】
【０００２】
一般に、建築物の玄関等に設けられるドア体の戸先側には、照明、表札、インターホーン、新聞受け等の各種の玄関備品が装着された板状のエントランスユニットが設けられる。そこで従来、エントランスユニットにインターホーンを装着する場合、該インターホーンが取付けられた板材をエントランスユニットに形成した開口に組み込むようにしていた。
【０００３】
ところでエントランスユニットは、多くの場合ドア体とのセットとして意匠性に優れたデザインが施され、これによって訪問者や居住者に対し良い印象を与えるよう工夫が凝らされているが、エントランスユニットにインターホーン取付け用の板材を組み込む場合、該板材をエントランスユニットの板面に積層するようにして組み込むため、板材自体がその板厚分、エントランスユニット板面から段差状に突出（あるいは後退）した状態で露出することになって、はっきりと外部から視認されてしまい、エントランスユニットの意匠性を損う要因になっていた。
【０００４】
そこで、エントランスユニットの表板を補強するべく取付けられる裏板に開口を形成し、該開口から屋外側に露出する状態でインターホーンを組付ける一方、エントランスユニットの表板にはインターホーンのプッシュボタンやマイク、スピーカ等の屋外側に露出させる必要がある各種の露出部品の形状や位置に合わせて切欠き孔を形成したものとし、これによってインターホーン用の取り付け板がエントランスユニットの表板で覆蓋される状態となって表面から露出しないようにし、表板からはインターホーンの使用にあたって必要な各種の露出部品のみが外部から伺えるようにして意匠性が損なわれないようにしたものが知られている（特許文献１参照）。
【先行技術文献】
【特許文献】
【０００５】
【特許文献１】特開２００８−１９６１１５
【発明の概要】
【発明が解決しようとする課題】
【０００６】
しかしながら前記特許文献１のものは、インターホーンの各種部品を表板から露出させるために表板に切り欠いた切欠き孔の切断面が無垢の状態のままとなって露出するため、ここから錆びが発生しやすいという問題がある。そこでこの切断面を塗装して防錆しようとしたときに、塗料が表板の表面にまで回って外観を損なうという問題があり、ここに本発明の解決すべき課題がある。
【課題を解決するための手段】
【０００７】
本発明は、上記の如き実情に鑑みこれらの課題を解決することを目的として創作されたものであって、請求項１の発明は、屋外側の表板と屋内側の裏板とを一体化してエントランスパネルを構成し、前記裏板にインターホーンを装着してなるエントランスユニットにおいて、表板には、インターホーンとして外部に露出させる必要がある露出部品にそれぞれ対応した切欠き孔が形成され、裏板には、前記切欠き孔よりも大きい開口が形成されたものとするにあたり、表板は表面側から前記切欠き孔が打ち抜き加工されたものとし、さらに表板表面がシール材に被覆された状態で裏面側から少なくとも切断面に防錆塗装が施されたものであることを特徴とするエントランスユニットである。
請求項２の発明は、表板の打ち抜き加工は表面がシール材で被覆された状態で施され、該シール材で表面が被覆されたままの状態で防錆塗装が施されることを特徴とする請求項１記載のエントランスユニットである。
請求項３の発明は、表板と裏板とが一体化された状態で前記防錆塗装が施されたものであることを特徴とする請求項１または２記載のエントランスユニットである。
請求項４の発明は、屋外側の表板と屋内側の裏板とを一体化してエントランスパネルを構成し、前記裏板にインターホーンを装着してなるエントランスユニットにおいて、表板には、インターホーンとして外部に露出させる必要がある露出部品にそれぞれ対応した切欠き孔が形成され、裏板には、前記切欠き孔よりも大きい開口が形成されたものとするにあたり、表板の表面側から前記切欠き孔が打ち抜き加工を施した後、さらに表板表面がシール材に被覆された状態で裏面側から少なくとも切断面に防錆塗装を施したものであることを特徴とするエントランスユニットの製造方法である。
【発明の効果】
【０００８】
請求項１または４の発明とすることにより、エントランスユニットの表板に形成される切欠き孔は、表面側から打ち抜き加工されて形成されることにより表面側にバリが発生することがなく、エントランスユニットの表面を美しく保つことが出来るとともに、該打ち抜き形成された切欠きは表板裏面側から防錆塗装が施されるため、打ち抜きによって生じたバリも含めて確実に防錆塗装されるとともに、表板表面にシール材が被覆された状態で防錆塗装が施されることにより、防錆塗料が表板の表面に回ってしまうことがなく、エントランスユニットの外観を損わない防錆塗装をおこなうことができる。
請求項２の発明とすることにより、打ち抜き加工時に表板表面を被覆しているシール材を、表板裏面側から施される防錆塗装に利用することができて、防錆塗装のために新たにシール材を被覆させる必要がない。
請求項３の発明とすることにより、インターホーン取付け部位の表板と裏板の防錆塗装を一度の塗装でおこなうことができる。
【図面の簡単な説明】
【０００９】
【図１】エントランスユニットの正面図である。
【図２】エントランスユニットのＸ−Ｘ部分断面図である。
【図３】エントランスユニットのＹ−Ｙ部分断面図である。
【図４】エントランスユニットのＺ−Ｚ部分断面図である。
【図５】エントランスユニットの組立て分解図である。
【図６】インターホーンの取付け部位の製造手順を示す説明図であって、（Ａ）、（Ｂ）はそれぞれ切欠き孔、開口の型抜き加工を示す。
【図７】インターホーンの取付け部位の製造手順を示す説明図であって、（Ａ）、（Ｂ）、（Ｃ）は表板と裏板の接着から切欠き孔、開口の吹付け塗装を示す。
【発明を実施するための形態】
【００１０】
以下、本発明の実施の形態について、図面に基づいて説明する。図面において、１はマンション等の建築物の玄関を構成する開口部に設けられる枠であって、該枠１の四周には、上、下、左縦、右縦の各枠２、３、４、５が一体的に設けられている。そして、図面視右側の右縦枠５には、上下方向複数個所（本実施の形態では三箇所）に設けられた蝶番６を介してドア体７が揺動自在に支持されている。ドア体７の戸先側には、ドア体７と対をなして開口部に設けられる板状のエントランスユニット８が上下一対のピボットヒンジ９、９ａを介して左縦枠４に対し揺動自在に支持されている。
【００１１】
左右縦枠４、５のあいだには上下各枠体２、３に上下端部が一体化される中間縦枠体１０が設けられているが、該中間縦枠体１０には、閉鎖姿勢となったエントランスユニット８の戸先縁部が当たる戸当り部１０ａが折曲形成されている。さらにエントランスユニット８の戸先縁部は、螺子部材１１によって中間縦枠体１０に螺子止めされており、これによってエントランスユニット８は通常時には開閉規制されているが、メンテナンス等によってエントランスユニット８を開閉する必要が生じた場合には、中間縦枠体１０から該螺子部材１１を外すことでエントランスユニット８が屋外側に向けて開姿勢となるように構成されている。尚、１０ｂは戸当り音の消音をする消音材である。
【００１２】
エントランスユニット８は、屋外側板材となるエントランスパネル１３と、該エントランスパネル１３の屋内側左右に設けられるパネル枠（力骨）１４、１４ａとによって構成されるが、戸先側パネル枠１４ａには前述の螺子部材１１が螺合するようになっている。エントランスパネル１３は、化粧板である表板１５と、該表板１５の裏側に接着されて表板１５を補強する鋼板である裏板１６とからなるが、該エントランスパネル１３には上側から下側に向けて照明灯１７、表札１８、インターホーン１９、新聞受け２０の各種玄関備品が取付けられていてエントランスユニット８を構成するようになっている。尚、インターホーン１９の取付けについては後述するが、表板１５および裏板１６には、照明灯１７、表札１８、新聞受け２０をそれぞれ屋内側から取付けるための螺子孔１５ａ、１６ａ、並びに照明灯１７用の開口部１５ｂ、１６ｂが形成されている。
【００１３】
前記インターホーン１９には、ケーシング２１の屋外側面にプッシュボタン２２、マイク２３、電源表示ランプ２４、スピーカ２５が露出部品として装備されている。そして前記ケーシング２１には裏板１６の屋内側面に一体に植設された螺子（スタッドボルト）２６が貫通し、ナット２７を介して緊締することでインターホーン１９が裏板１６の屋内側面（裏面）１６ｃに固着されるようになっている。そしてこの裏板１６には、前記ケーシング屋外側面の露出部品装備部位全面を屋外側に露出するための開口２８が形成されている一方、表板１５には、個々の露出部品を外部に露出させるため各対応する位置に切欠き孔２９ａ、２９ｂ、２９ｃ、２９ｄが形成されている。
【００１４】
次に、エントランスパネル１３のインターホーン１９取付け部位の製造手順を図６および図７に基づいて説明する。
エントランスパネル１３の表板１５には、予め表面（屋外側面）１５ｃを保護するための保護シール３０（本発明のシール材に相当する）が密着状に被覆しており、該保護シール３０が表面１５ｃを被覆している状態で表板１５の表面１５ｃ側からプレス材３１で型抜き加工をおこなうことで前記切欠き孔２９ａ、２９ｂ、２９ｃ、２９ｄを形成する（図６（Ａ）参照）。同様にして、裏板１６も表面側１６ｄからの型抜き加工によって開口２８を形成する（図６（Ｂ）参照）。次いでこの型抜き加工した表裏板１５、１６同士を面接着して一体化し、補強する（図７（Ａ）、（Ｂ）参照）。しかる後、表板表面１５ｃに保護シール３０が被覆したままの状態で、裏板１６の裏面１６ｃ側から塗装材吹付け器３２によってインターホーン１９取付け部位を吹付け塗装することで、裏板１６の開口２８周囲の裏面と、該開口２８から覗いている表板１５の裏面１６ｄとが塗装されるが、さらに開口２８および切欠き孔２９ａ、２９ｂ、２９ｃ、２９ｄの切断面３３ａ、３３ｂも塗装され、これによって切断面３３ａ、３３ｂの防錆処理がなされる。そしてこの場合、塗装したときの塗膜Ｔは表板１５の表面１５ｃ側にも及ぶが、該表板１５の表面１５ｃは保護シール３０で被覆されているため、運搬時の表板１５の保護が図れるが、さらに、該保護シール３０の表面が塗装されることになって、表板表面１５ｃが塗装されてしまうことがない。その後、保護シール３０を剥離することによって、表裏板１５、１６の切断面３３ａ、３３ｂには塗装による防錆処理が施されてはいるが、表板表面１５ｃには塗装がはみ出ることがないエントランスパネル１３を製造できるようになっている。
尚、このような防錆塗装は、前記裏板１６に形成の螺子孔部位１５ａ、１６ａや照明灯取付け用開口１５ｂ、１６ｂ部位にも施すことができる。
【００１５】
叙述の如く構成された本発明の実施の形態において、エントランスパネル１３を構成する裏板１６にインターホーン１９を取付け、表板１５にはインターホーン１９として外部に露出させる必要があるプッシュボタン２２、マイク２３、電源表示ランプ２４、スピーカ２５等の露出部品に対応した切欠き孔２９ａ、２９ｂ、２９ｃ、２９ｄが形成され、裏板１６には、前記切欠き孔２９よりも大きい開口２８が形成されたものとして、エントランスパネル１３の表面からインターホーン取付け用板材が段差状の状態で露出することがないようにして意匠性を高めたものでありながら、前記表板１５に形成の切欠き孔２９は、表板１５の表側から打ち抜かれたものであるため、バリ３４が裏面１５ｄに突出したものとなってバリ取りをする手間が省け、しかも切断面３３ａ、３３ｂは塗装が施されていて防錆機能を備えている。しかもこの防錆のための塗装は、表板表面１５ｃが保護シール３０で被覆された状態で裏面側からなされるので、表板表面１５ｃに塗料が直接付着することがない状態で表板裏面側に突出するバリ３４の部分も含めた状態での切断面３３ｂの塗装ができ、切断面３３ｂが錆びてしまうことを防止できることになって、エントランスパネル１３の表面が美しく保たれたエントランスユニット８を提供することができる。
【００１６】
しかもこのものでは、表板１５と裏板１６とを一体化した状態で塗装することになるから、表板１５に形成される切欠き孔２９と、裏板１６に形成される開口２８との各切断面３３ａ、３３ｂを同時に防錆塗装できることになって効率が良い。
【００１７】
尚、本実施の形態においては、保護シール３０が予め表板１５の表面１５ｃを被覆しているものに型抜きおよび防錆塗装を施しているが、これに限定されるものではなく、保護シール３０の被覆がない状態で型抜き加工をおこない、しかる後、表板表面１５ｃに形成された切欠き孔２９を含めて表板表面１５ｃにシール材を貼着し、この状態で裏側から防錆塗装を施すように構成しても良い。
【産業上の利用可能性】
【００１８】
本発明は、建築物の開口部にドア体とともに設けられるエントランスユニットの分野に利用することができる。
【符号の説明】
【００１９】
８                エントランスユニット
１３              エントランスパネル
１５              表板
１５ｃ            表面
１６              裏板
１６ｃ            裏面
１９              インターホーン
２８              開口
２９ａ〜２９ｄ    切欠き孔
３０              保護シール
【図１】
2011190573.tif 000003
【図２】
2011190573.tif 000004
【図３】
2011190573.tif 000005
【図４】
2011190573.tif 000006
【図５】
2011190573.tif 000007
【図６】
2011190573.tif 000008
【図７】
2011190573.tif 000009